(57)【要約】【課題】スポンジの全体を大きく変形し易く、スポンジの全体に多量の洗剤と空気を含み易くして、洗い具の変形性能と泡立ち性能を向上させることにより、狭い場所の洗浄にも適し、乾き易く、雑菌が繁殖し難い衛生的なものにする。【解決手段】スポンジ２の全体に、一方の主要面４から他方の主要面５に抜ける貫通太孔６を多数分散配置して設け、その各貫通太孔６の孔径を、気泡の連続によって形成されている多数の各貫通細孔の孔径より大きくする。そして、スポンジ２の主要面４、５の一方に、多孔軟質材層３を接合して積層し、そのスポンジ２の内側主要面４に臨む各貫通太孔６の開口を、多孔軟質材層３で閉じる。又、スポンジ付き積層洗い具１を構成するスポンジ２の外側主要面４に臨む各貫通太孔６の開口に、線状体を張り渡すことができるネット製袋内に収納する。【選択図】  図１
2010148529.tif 000002
【特許請求の範囲】
【請求項１】
スポンジの全体に、そのスポンジの一方の主要面から相対する他方の主要面に抜ける貫通太孔を、多数分散配置して設け、その各貫通太孔の孔径を、気泡の連続によって形成され、スポンジの全体に分散配置されている多数の各貫通細孔の孔径より大きくし、そのスポンジの主要面の一方に、多孔軟質材層を接合して積層し、そのスポンジの内側主要面に臨む各貫通太孔の開口を、多孔軟質材層で閉じることを特徴とするスポンジ付き積層洗い具。
【請求項２】
貫通太孔の孔径を１〜５ｍｍにすることを特徴とする請求項１記載のスポンジ付き積層洗い具。
【請求項３】
請求項１又は２記載のスポンジ付き積層洗い具を、その洗い具を構成するスポンジの外側主要面に臨む各貫通太孔の開口にネットを構成する線状体を張り渡すことができるネット製袋内に収納することを特徴とするネット製袋入りスポンジ付き積層洗い具。
【発明の詳細な説明】
【技術分野】
【０００１】
本発明は、食器洗い用、浴用、その他の洗浄に用いるスポンジ付き積層洗い具に関する。
【背景技術】
【０００２】
従来、家庭や業界において使用する手軽な洗い具として、スポンジを単独で又は他の一段と擦り力が優れたスポンジや不織布積層体等の擦り用多孔軟質材層と接合して積層状態にして用いている。このスポンジは発泡体であり、全体に連続する気泡によって多数の貫通細孔が分散配置されているので、通気性、通水性が良い。使用時に、洗い具のスポンジに洗剤を付け、食器等の汚れを擦ると、スポンジが揉まれて、多数の貫通細孔内に洗剤と空気が行き渡る。そして、スポンジの変形とその復帰による摩擦力が各細孔内壁から孔内の洗剤と空気に夫々加わると、洗剤が泡立ち食器などの汚れを落とすことができる。
【０００３】
ところが、一般的なスポンジを洗い具に用いるだけでは、洗剤の泡立ちが不十分であり、泡が濃密に発生しないので、満足すべき泡立ちを得られない。そこで、スポンジより遥かに洗剤の泡立ちがよく泡が濃密にできる洗い具として、例えばダイヤモンド編目状の布を数段層状に重ねた心布と多孔軟質材層とを積層結合した浴用布が提示されている（特許文献１参照）。又、スポンジを用いた洗い具の洗浄能力を上げるため、例えばスポンジと不織布積層体とを貼合してなる食器洗浄具に、被洗浄体を挟み込むため、スポンジの長手方向一側面から略中央部にかけて切り込み面を設けて、スポンジを上下二層に形成し、そのスポンジの表面から不織布積層体の表面に通じる直径０．５〜２．０ｃｍの貫通孔を複数個（実施例では２又は４個）設けたものが提示されている（特許文献２参照）。
【特許文献１】米国特許和文抄録５，４１２，８３０
【特許文献２】実用新案登録第３０５５１８１号
【発明の開示】
【発明が解決しようとする課題】
【０００４】
しかしながら、前者のスポンジを用いない洗い具は構造が複雑であるため、高価になり易い。この点、後者のスポンジを用いた洗い具ではスポンジと不織布積層体とを貼合し、そのスポンジの長手方向一側面から略中央部にかけて切り込み面を設けることにより、スポンジの一側面側半分を上下二層に切断し、その側部にスポンジの表面から不織布積層体の表面に通じる貫通太孔を、一実施例では４個の内の３個、又は別の実施例では２個全てを配設している。それ故、後者の洗い具ではスポンジの一側面側部に設けた切り込み面に、洗剤の移行をスムーズに行える構造を備えているが、他の側面側部では当然満足できる泡立ちを行えない。
【０００５】
本発明は、このような従来の問題点に着目してなされたものであり、スポンジの全体を大きく変形し易く、スポンジの全体に多量の洗剤と多量の空気を含み易くして、洗い具の変形性能と泡立ち性能を向上させることにより、狭い場所の洗浄にも適し、乾き易く、雑菌が繁殖し難い衛生的なスポンジ付き積層洗い具を提供することを目的とする。
【課題を解決するための手段】
【０００６】
上記目的を達成するために、本発明によるスポンジ付き積層洗い具は、スポンジの全体に、そのスポンジの一方の主要面から相対する他方の主要面に抜ける貫通太孔を、多数分散配置して設け、その各貫通太孔の孔径を、気泡の連続によって形成され、スポンジの全体に分散配置されている多数の各貫通細孔の孔径より大きくする。そして、そのスポンジの主要面の一方に、多孔軟質材層を接合して積層し、そのスポンジの内側主要面に臨む各貫通太孔の開口を、多孔軟質材層で閉じる。
【０００７】
又、上記貫通太孔の孔径が１〜５ｍｍにすると好ましくなる。
【０００８】
又、本発明によるネット製袋入りスポンジ付き積層洗い具は、上記スポンジ付き積層洗い具を、その洗い具を構成するスポンジの外側主要面に臨む各貫通太孔の開口にネットを構成する線状体を張り渡すことができるネット製袋内に収納する。
【発明の効果】
【０００９】
本発明のスポンジ付き積層洗い具は、スポンジの全体に多数の貫通細孔のみが分散配置されている一般的なスポンジをそのまま用いる場合と比べ、スポンジの全体に、多数の貫通細孔と共に、スポンジの一方の主要面から相対する他方の主要面に抜ける貫通太孔を多数分散配置して設けているので、スポンジの全体に、特に各貫通太孔を通じて多量の洗剤と多量の空気を取り入れ、分散させて含ませることができる。
【００１０】
そして、スポンジの主要面の一方に、多孔軟質材層を接合して積層し、スポンジの内側主要面に臨む各貫通太孔の開口を、多孔軟質材層で閉じることにより、スポンジの全体に分散させて含ませた多量の洗剤が多孔軟質材層に移動し難くなり、スポンジに一時的に保持できる。それ故、洗い具から洗剤が外部に急速に漏れ出さない。しかも、スポンジは弾力性を有し、その全体に多数の貫通太孔が分散配置されているので、そのスポンジを手で揉むと、スポンジの全体を大きく変形でき、スポンジ全体の大きな変形と元の形状への復帰を繰り返して簡単に行える。このため、スポンジに多孔軟質材層が接合している洗い具を手で揉んでも、当然洗い具全体を大きく変形でき、洗い具全体の大きな変形と元の形状への復帰を繰り返して簡単に行える。それ故、スポンジ付き積層洗い具は変形性能に優れている。
【００１１】
使用時、洗い具の特にスポンジに洗剤を付け、スポンジの全体に分散配置されている多数の貫通太孔と貫通細孔に多量の洗剤と多量の空気を含ませた後、手で揉んで、洗い具を大きく変形させる。すると、洗い具は変形性能が優れているので、貫通太孔と貫通細孔の各内壁から含まれている洗剤に対し、空気を接触させながら大きな摩擦力を夫々加えることができる。それ故、洗い具のスポンジは泡立ち性能に優れており、スポンジの全体に亘って濃密な泡を多量に発生させることができる。しかも、そのスポンジ付き積層洗い具を大きく変形させると、洗い具の隅部等を他の部分より鋭角的に突出させることができる。従って、狭い場所の洗浄を行うのにも適している。なお、スポンジの全体に多数の貫通太孔を分散配置しておくと、洗浄後に洗い具が乾燥し易くなって、雑菌が繁殖し難くなるので衛生的である。
【００１２】
そして、上記貫通太孔の孔径を選択する際、その孔径を１ｍｍ未満にして小さくして行くと、貫通細孔のみのスポンジと比べて、そのスポンジの強度と変形後の復帰力を余り損なうことなく保ち易くなる。しかし、スポンジに多量の洗剤、多量の空気を含ませることができなくなると共に、スポンジ全体を大きく変形させることができなくなる。その点、貫通太孔の孔径を５ｍｍ超にして大きくして行くと、スポンジ全体に多量の洗剤と多量の空気を含ませ、スポンジの全体を大きく変形させることができる。しかし、スポンジ全体の強度と変形後の復帰力が共に小さくなり過ぎる。
【００１３】
そこで、貫通太孔の孔径を１〜５ｍｍにすると、スポンジの全体に多量の洗剤と多量の空気を含ませ、スポンジの全体を大きく変形させることができると共に、スポンジの強度と変形後の復帰力を必要な程度に保ち易くなる。それ故、洗い具の強度等を保ちながら、変形性能と泡立ち性能を向上させることができる。従って、スポンジ付き積層洗い具が狭い場所の洗浄等を行うのにも適したものになる。
【００１４】
又、本発明のネット製袋入りスポンジ付き積層洗い具は、洗浄力を大きくするため、貫通太孔の孔径を大きくし、スポンジの外側主要面に臨む貫通太孔の開口を大きくして、スポンジの全体に多量の洗剤と多量の空気を含み易く、スポンジの全体を大きく変形し易くしても、その開口にネットを構成する線状体を張り渡して、その線状体を開口から孔内に侵入しようとするごみ等の異物に対する障害物として利用できる。しかも、スポンジに設ける貫通太孔の孔径を大きくすると、当然スポンジ全体の強度と変形後の復帰力が小さくなり、洗い具の強度等も小さくなるが、その洗い具をネット製袋内に収納することにより、洗い具の強度等の減少をネット製袋で補えるばかりでなく、更に強度等を大きくすることができる。それ故、洗い具の強度等と洗浄力を大きくできる。
【発明を実施するための最良の形態】
【００１５】
以下、添付の図１〜３を参照して、本発明の実施の最良形態を説明する。
図１は本発明を適用したスポンジ付き積層洗い具の斜視図、図２はそのＡ−Ａ断面図である。このスポンジ付き積層洗い具１は、スポンジ２と多孔軟質材層３とを接合して積層体にしたものである。そして、製作時にスポンジ２として、例えば縦横の長さが６ｃｍ、１０ｃｍで、厚さが２ｃｍの平板状ウレタンフォームを用いる。すると、スポンジ２には全体に、気泡の連続によって形成された例えば０．５ｍｍの孔径を有する貫通細孔（図示なし）が多数分散配置されている。
【００１６】
そこで、スポンジ２の全体に、一方の主要面（上面）４から相対する他方の主要面（下面）５に抜ける直線状の貫通太孔６を、多数分散配置して設け、その太孔６の孔径を貫通細孔の孔径より大きくする。例えば、スポンジ２の全体に対し、孔径２ｍｍの円筒状貫通太孔６を２８本、いずれも各主要面４、５に直交させ、隣接する太孔６同士の間隔を１０ｍｍにして分散配置する。すると、各主要面４、５の全面中央部に広く、２８本の貫通太孔６の開口を縦に４個横に７個のマトリックス状に並べて、均等に分散配置できる。しかし、各主要面４、５の前後の辺部１１ｍｍの幅、左右の辺部１３ｍｍの幅には貫通太孔６を設けずに、周辺部の強度を上げる。このようなスポンジとしてウレタン以外に、ポリエチレン、アクリル、スチレン、メラミン等のプラスチックや天然物等を用いることができる。なお、スポンジの全体に、多数の貫通太孔を分散配置する際、その各貫通太孔の開口をスポンジの各主要面の全面中央部に広く、螺旋状、同心円状等に並べて分散配置することもできる。
【００１７】
又、多孔軟質材層３として、例えば縦横の長さが６ｃｍ、１０ｃｍで、厚さが１ｃｍの平板状のポリプロピレン製不織布積層体を用いる。すると、洗浄時に多孔軟質材層３の側を使用することにより、スポンジ２の側で擦っても落とし難い付着力の強い汚れを良く擦り取ることができる。なお、このような多孔軟質材層としてポリプロピレン以外、ポリエチレン、ポリエステル、ポリアクリル等のプラスチックが不織布積層体に適している。又、多孔軟質材層として織物積層体やスポンジ等を用いてもよい。
【００１８】
このようなスポンジ２の主要面４、５の一方、例えば下面５に多孔軟質材層３の主要面７、８の一方、例えば上面７を重ね合せて接合し、積層体を作る。その際、スポンジ２の下面５と多孔軟質材層３の上面７を熱溶着、接着剤等により接合する。すると、スポンジ２の下面に臨む各貫通太孔６の開口を、多孔軟質材層３で閉じることができ、スポンジ付き積層洗い具１が完成する。
【００１９】
使用時、液状、粉状、固体状等の洗剤を用い、スポンジ２の露出側主要面４に付着させる。すると、スポンジの全体に多数の貫通細孔のみが分散配置されている一般的スポンジをそのまま用いる場合と比べ、スポンジ２の全体に各貫通細孔と共に分散配置されている特に各貫通太孔６を通じて多量の洗剤と多量の空気を取り込み、分散させて含ませることができる。しかも、多孔軟質材層３に分散配置されている多数の貫通孔の孔径を小さく、例えばスポンジ２に分散配置されている貫通細孔の孔径と等しく又はそれ以下にしておくと、スポンジ２の下面５に臨む各貫通太孔６の貫通孔が、多孔軟質材層３で閉じられているので、洗剤が多孔軟質材層３に移動し難い。それ故、洗い具１のスポンジ２に多量の洗剤を一時的に保持でき、急速に外部に漏れることがない。
【００２０】
そこで、スポンジ付き積層洗い具１を手で揉むと、スポンジ２は弾力性を有し、その全体に多数の貫通太孔６が分散配置されているので、スポンジ２の全体を大きく変形でき、スポンジ全体の変形と元の形状への復帰を繰り返して簡単に行える。このため、スポンジ２に多孔軟質材層３が接合している洗い具１の全体を大きく変形でき、洗い具全体の変形と元の形状への復帰を繰り返して簡単に行える。それ故、スポンジ付き積層洗い具１はスポンジ２の全体に多数の貫通太孔６を分散配置することにより、変形性能が優れたものとなり、しかもスポンジ２の弾力性に基づき、変形後の復帰性能を十分に備えている。
【００２１】
洗浄時に、洗い具１を手で揉んで全体を大きく変形させると、スポンジ２の全体に分散配置されている多数の貫通太孔６と貫通細孔の各内壁から含まれている洗剤に対し、空気を接触させながら大きな摩擦力を夫々加えることができる。このため、洗い具１のスポンジ２は泡立ち性能が優れたものとなり、スポンジ２の全体に亘って濃密な泡を多量に発生させることができる。しかも、洗い具１のスポンジ２の側に含ませた洗剤が多孔軟質材層３の側に移動し、或いは多孔軟質材層３の側に洗剤を直接付着させて含ませると、揉んだ時に、多孔軟質材層３の側においても当然泡立ちが起こる。そこで、食器等の洗浄において、スポンジ付き積層洗い具１を大きく変形させると、洗い具１の隅部等を他の部分より鋭角的に突出させることができ、コップや皿等の底部付近に付いた汚れ等を擦り取って落とし易い。それ故、スポンジ付き積層洗い具１は狭い場所の洗浄にも適している。なお、スポンジ２の全体に多数の貫通太孔６を分散配置しておくと、そのスポンジ２の内部に多量の空気が入るため、洗浄後に洗い具１が乾き易くなって、雑菌が繁殖し難くなるので衛生的である。  
【００２２】
図３は本発明を適用したネット製袋入りスポンジ付き積層洗い具の斜視図である。このネット製袋入りスポンジ付き積層洗い具９はスポンジ付き積層洗い具１と、その洗い具１を収納するネット製袋１０とから構成する。そして、製作時にネット製袋１０として、例えば網目１１の１辺の長さが２ｍｍ未満の正方形状網目付きのポリエステルネット製袋を用いる。すると、洗い具１をネット製袋１０に収納した時、スポンジ２の外側主要面４に臨む各貫通太孔６の開口にネットを構成する線状体１２を夫々張り渡すことができる。
【００２３】
そこで、洗浄力を大きくするため、各貫通太孔６の孔径を大きくし、スポンジ２の外側主要面４に臨む各貫通太孔６の開口を夫々大きくして、スポンジ２の全体に多量の洗剤と多量の空気を含み易く、スポンジ２の全体を大きく変形し易くしても、その各開口に線状体１２を夫々張り渡して、その線状体１２を開口から孔内に侵入しようとするごみ等の異物に対する障害物として利用できる。しかもスポンジ２に設ける各貫通太孔６の孔径を夫々大きくすると、当然スポンジ２の強度と変形後の復帰力が小さくなり、洗い具１の強度も小さくなるが、洗い具１をネット製袋内に収納することにより、洗い具１の強度等の減少をネット製袋１０で補えるばかりでなく、更に強度等を大きくすることができる。それ故、ネット製袋入りスポンジ付き積層洗い具９の強度等と洗浄力を大きくできる。そこで、スポンジ付き積層洗い具の長さを更に伸ばし、ネット製袋としてネットを複数枚重ね合せて強度を大きくした筒状ネット製袋を用いると、洗い具９の泡立ちが一段と優れたものとなって、浴用等に適したものになる。
【００２４】
上記実施の形態では、洗い具１を構成するスポンジ２の全体に分散配置する各貫通太孔６の孔径を２ｍｍにする場合について説明したが、貫通太孔６の孔径を選択する際、その孔径を１ｍｍ未満にして小さくして行くと、貫通細孔のみの一般的なスポンジと比べて、そのスポンジの強度と変形後の復帰力を余り損なうことなく保ち易くなる。しかし、スポンジの全体に多量の洗剤と多量の空気を含ませ、スポンジの全体を大きく変形できなくなる。その点、貫通太孔の孔径を５ｍｍ超にして大きくして行くと、スポンジの全体に多量の洗剤と多量の空気を含ませ、スポンジの全体を大きく変形させることができる。しかし、スポンジ全体の強度と変形後の復帰力が共に小さくなり過ぎる。
【００２５】
そこで、貫通太孔の孔径を１〜５ｍｍにするのが好ましく、孔径を１〜５ｍｍにすると、スポンジ全体の強度と変形後の復帰力を比較的保ち易く、しかもスポンジの全体に多量の洗剤と多量の空気を含み易く、スポンジの全体を大きく変形し易くして、洗い具の強度等を保ちながら、変形性能と泡立ち性能を向上させることができる。それ故、スポンジ付き積層洗い具がコップや皿の底部付近のような狭い場所の洗浄等を行うのにも適したものになる。
【図面の簡単な説明】
【００２６】
【図１】本発明を適用したスポンジ付き積層洗い具の斜視図である。
【図２】図１のＡ−Ａ断面図である。
【図３】本発明を適用したネット製袋入りスポンジ付き積層洗い具の斜視図である。
【符号の説明】
【００２７】
１…スポンジ付き積層洗い具  ２…スポンジ  ３…多孔軟質材層  ４、５、７、８…主要面  ６…貫通太孔  ９…ネット製袋入りスポンジ付き積層洗い具  １０…ネット製袋  １１…網目  １２…線状体
【図１】
2010148529.tif 000003
【図２】
2010148529.tif 000004
【図３】
2010148529.tif 000005